(57)【要約】作動されると、石鹸などの液体材料をそこから分注する分注ノズルを有する、補完的な分注容器とあわせた使用のために構成される基部を提供する、独自仕様の分注容器システムである。分注容器は、認可されていない分注器がその中に挿入されることを防止するために、支持プラットフォームの中に配設される対応する同心基部チャネル内で受容される同心整列肋材を含む。本分注容器はまた、分注容器及びそれらの内容物に関連する属性データであって、ディスプレイ上に提示するために支持プラットフォームの中のセンサによって読み取られる属性データを識別するために、配置の中に置かれるインジケータを含む。支持プラットフォームは、ばねによって基部からつり下げられ、分注ノズルがそこから材料を分注するために作動されるにつれて動く。スイッチは、支持プラットフォームの動きを監視し、分注容器の使用数を識別するカウント値を更新し、これはディスプレイ上に提示される。【選択図】図２
2014530747.tif 000002
【特許請求の範囲】
【請求項１】
独自仕様の分注システムにおいて、
作動されると、材料をそこから分注する分注ノズルを有する、分注容器と、
前記分注容器を担持するための基部と、
前記基部によって担持される支持プラットフォームであって、前記分注容器が前記支持プラットフォーム上に置かれたときに、前記分注容器によって担持される１つ以上のインジケータの配置を検出するように構成される感知表面を含む、支持プラットフォームと、
前記基部によって担持されるディスプレイと、
前記ディスプレイ及び前記感知表面に連結されるコントローラであって、１つ以上の前記インジケータの既定の配置によってそれぞれ定義される１つ以上のインジケータプロフィールに関連付けられる分注容器属性データを格納する、コントローラと、
を備え、
前記ディスプレイは、前記分注容器によって担持される前記感知表面によって検出された前記１つ以上のインジケータの前記配置と一致する、前記インジケータプロフィールに関連付けられる前記格納された分注容器属性データを提示する、独自仕様の分注システム。
【請求項２】
前記コントローラに連結され、前記支持プラットフォームの動きによって作動されるスイッチをさらに備え、
前記支持プラットフォームは、前記分注容器の前記分注ノズルが作動されると、前記支持プラットフォームが前記スイッチを作動させるように動かされて、前記ディスプレイ上に提示するために前記コントローラに格納されるカウント値を更新するように、前記基部によって可動に担持され且つ前記スイッチと動作可能に接触している、請求項１に記載の独自仕様の分注システム。
【請求項３】
前記分注容器は、そこから伸長する複数の同心整列肋材を有する基部を含み、前記感知表面は複数の同心基部チャネルによって分割され、前記複数の基部チャネルは、前記複数の前記整列肋材のうちの少なくとも１つを受容するように配置される、請求項１に記載の独自仕様の分注システム。
【請求項４】
前記１つ以上のインジケータは前記複数の同心整列肋材の間に配置される、請求項３に記載の独自仕様の分注システム。
【請求項５】
前記支持プラットフォームは少なくとも１つのばねによって偏向される、請求項１に記載の独自仕様の分注システム。
【請求項６】
前記分注容器によって担持される前記１つ以上のインジケータは、磁石を備える、請求項１に記載の独自仕様の分注システム。
【請求項７】
独自仕様の分注システムにおいて、
作動されるとそこから材料を分注する分注ノズルを有する分注容器であって、１つ以上のインジケータがその中に配置され、既定のパターンで配置される、受容開口を持つ基部表面を有する、分注容器と、
前記分注容器を担持するための基部であって、前記基部によって担持されるキーアームを有し、前記キーアームは、前記分注容器を前記キーアームに摺動自在に保持するように、前記受容開口内で受容されるように構成され、前記キーアームは、前記分注容器によって担持される前記１つ以上のインジケータの配置を検出するように構成される感知表面を含む、基部と、
前記基部によって旋回するように担持され、前記キーアームがその中を通るキー開口を有する、支持プラットフォームであって、前記基部から上向きに弾性的に偏向される、支持プラットフォームと、
前記センサに連結されるコントローラであって、１つ以上の前記インジケータの既定の配置によってそれぞれ定義される、１つ以上のインジケータプロフィールに関連付けられる分注容器属性データを格納する、コントローラと、
前記コントローラに連結されるディスプレイと、
を備え、
前記分注容器の前記受容開口が前記キーアームを受容したとき、前記分注容器の前記基部表面が前記支持プラットフォームによって担持され、前記ディスプレイが、前記感知表面によって検出された前記分注容器の前記１つ以上のインジケータの配置と一致する前記インジケータプロフィールに関連付けられる前記格納された分注容器属性データを提示する、独自仕様の分注システム。
【請求項８】
前記基部によって担持され、前記コントローラに連結されるスイッチであって、前記プラットフォームが旋回したときに作動するように構成される、スイッチをさらに備え、
前記コントローラは、前記分注ノズルが作動されて材料を分注したとき、前記ディスプレイ上への提示のための前記コントローラの前記カウント値を更新するために、前記支持プラットフォームが旋回して前記スイッチを作動させるようにカウント値を格納する、請求項７に記載の独自仕様の分注システム。
【請求項９】
前記支持プラットフォームはばねによって偏向される、請求項７に記載の独自仕様の分注システム。
【請求項１０】
前記インジケータは磁石を備える、請求項７に記載の独自仕様の分注システム。
【請求項１１】
前記基部から伸長し、前記支持プラットフォームの周縁部に部分的に外接する誘導壁をさらに備える、請求項７に記載の独自仕様の分注システム。
【請求項１２】
前記支持プラットフォームは、前記基部の中に配設されるプラットフォーム開口を通って回転する、請求項７に記載の独自仕様の分注システム。
【請求項１３】
独自仕様の分注システムにおいて、
取り付け開口を有する分注容器であって、前記分注容器によって担持される液体材料を受容するための注入口を持ち且つドームポンプ及び分注ノズルと流体連通する管を有し、前記注入口と前記ドームポンプとの間に一方向弁が配設される、分注容器と、
前記分注容器を担持するための基部であって、前記基部を表面上で垂直に支持するための静止区域を有し、旋回端を形成するために、前記静止区域の一端から上向きに前記表面から離れて伸長する旋回区域を含む、基部と、
前記旋回区域から伸長する壁であって、そこを通る旋回開口を有する、壁と、
前記基部から伸長する突出部であって、前記ドームポンプを選択的に作動させるように構成される、突出部と、
前記旋回開口によって担持される作動アセンブリであって、前記基部に関連して旋回するように構成され、前記分注容器の前記取り付け開口内で係止するように受容されるように構成される、作動アセンブリと、
前記基部によって担持され、カウント値を格納するコントローラと、
前記コントローラに連結されるスイッチであって、前記分注容器と動作可能に整列するために、前記基部によって担持される、スイッチと、
前記コントローラに連結されるディスプレイと、
を備え、
前記ドームポンプが前記突出部によって作動されて前記分注ノズルから材料を分注することができるように、前記分注容器が前記作動アセンブリによって旋回されると、前記スイッチが作動して前記カウント値を更新し、これが前記ディスプレイ上に提示される、独自仕様の分注システム。
【請求項１４】
前記作動アセンブリは、前記分注容器の前記取り付け開口内で受容されるように構成される、旋回スリーブを備え、前記旋回スリーブが、前記旋回開口によって担持されるように構成される支持シャフトに弾性的に偏向されている、請求項１３に記載の独自仕様の分注システム。
【請求項１５】
前記旋回スリーブは、ばねによって前記支持シャフトに弾性的に偏向される、請求項１４に記載の独自仕様の分注システム。
【請求項１６】
独自仕様の分注システムにおいて、
作動されるとそこから材料を分注する分注ノズルを有する、分注容器であって、停止タブ及び係合アームを含む基部表面を有し、前記係合アームが、そこから伸長する１つ以上の制御タブを有する、分注容器と、
基部によって可動に担持される支持プラットフォームを有する前記基部であって、前記支持プラットフォームが、誘導スロットと、そこを通って配設される１つ以上の停止スロットとを有し、前記誘導スロットが、そこを通って前記係合アームを受容するように構成され、前記１つ以上の停止スロットのうちの１つが、その中で前記停止タブを受容するように構成される、基部と、
前記基部によって担持される少なくとも１つの電位差計であって、それぞれの前記電位差計が、前記制御タブによって回転されるように構成される、電位差計と、
前記少なくとも１つの電位差計に連結されるコントローラであって、それぞれの前記少なくとも１つの電位差計の回転の量によって定義される、１つ以上の参照プロフィールに関連付けられる分注容器属性データを格納する、コントローラと、
前記コントローラに連結されるディスプレイと、
を備え、
前記分注容器が前記支持プラットフォームの上に担持され、前記停止タブが、前記１つ以上の停止スロットのうちの端のものによって停止されるまで回転され、前記１つ以上の制御タブが、前記少なくとも１つの電位差計を既定の量回転させ、前記ディスプレイが、それぞれの前記少なくとも１つの電位差計の回転の量と一致する前記参照プロフィールに関連付けられる、前記格納された分注容器属性データを提示する、独自仕様の分注システム。
【請求項１７】
前記誘導スロット及び前記１つ以上の停止スロットは弓形である、請求項１６に記載の独自仕様の分注システム。
【請求項１８】
前記少なくとも１つの電位差計は、それぞれが、そこから伸長し、１つ以上の前記制御タブに動作可能に接触する作動アームを有する、複数の積層電位差計を備える、請求項１６に記載の独自仕様の分注システム。
【請求項１９】
それぞれの前記作動アームが共通軸の周りを回転する、請求項１８に記載の独自仕様の分注システム。
【請求項２０】
前記分注容器の前記分注ノズルが作動されると、前記支持プラットフォームが前記スイッチを作動させるように動かされて、前記コントローラに格納され且つ前記ディスプレイ上への提示のためのカウント値を更新するように、前記コントローラに連結され且つ前記支持プラットフォームの前記動きによって作動されるスイッチをさらに備える、請求項１６に記載の独自仕様の分注システム。
【発明の詳細な説明】
【技術分野】
【０００１】
本発明は概して分注システムに関する。特に、本発明は、認可された分注容器のみの使用を可能にする基部を提供する、独自仕様の分注システムを対象とする。より具体的には、本発明は、分注容器属性データを表示し、かつ認可された分注容器の使用を追跡する基部を提供する、独自仕様の分注容器システムを対象とする。
【背景技術】
【０００２】
レストラン、工場、病院、浴室などで使用される、石鹸の分注器などの永久的に取り付けられた分注器は、手動作動機構を含み、これはユーザがレバーを物理的に押すか又は引くかして一定量の液体材料を分注する。代替的に、永久的に取り付けられた「ハンズフリー」の自動分注器もまた利用され、これはユーザが単に自分の手をセンサの下へ置くと一定量の流体が分注されるものである。さらに、かかる永久的に取り付けられた分注器が補充可能な量の液体材料を保持する一方で、かかる分注器は、追加的な材料をこれらに詰め替えるために、概して専門知識を必要とし、そのため、サービス及びメンテナンスが難しく、かつ時間がかかる。結果的に、コストの低さ、取り換えの容易さ、及び実質上の簡明な操作とあわせて、必要とされる場所に簡単に置かれるという能力によって、液体材料がそこから分注される、手で作動するポンプ及びノズル機構を利用した、使い捨て可能な携帯用分注容器の人気がますます高まっている。
【０００３】
さらに、永久的に取り付けられる分注器のメーカは、特定の永久的に取り付けられる分注器とともに使用されることが許可されたか、別様に認可された詰め替え用容器の種類を制御することが望ましいことを発見した。例えば、術前洗浄地帯において、例えば保湿ローションなどの別の材料ではなく、抗菌石鹸が分注されることが、病院職員にとって不可欠であり得る。そのため、永久的に取り付けられる分注器のメーカは、適合する分注器において、認可された詰め替え用容器のみが設置されかつ使用されるように、専用の詰め替え用容器のみを使用するために、しばしば分注器を施錠する。永久的に取り付けられる分注器のメーカ及び関連付けられる詰め替え用容器の販売業者もまた、分注器が確実に自分たちの供給する詰め替え用容器によってのみ詰め替えられ、競合他社や第三者によって供給される、質が劣るか又は低品質であり得る詰め替え用容器によって詰め替えられないようにするために、かかる施錠システムに依存する。
【０００４】
残念ながら、手で作動されるポンプ及び分注ノズルを有するもののような携帯型及び／又は使い捨て可能な分注容器の使用を制御するための効率的なシステムは、利用可能でない。そのため、携帯型及び／又は使い捨て可能な分注容器は誤って使用される場合があり、任意の所在地において望ましくない特定の材料が不適切に分注されることを可能にしてしまう。
【発明の概要】
【発明が解決しようとする課題】
【０００５】
従って、携帯型分注容器の認可されていない使用を防止する基部を提供する、独自仕様の分注容器システムに対する需要が存在する。加えて、携帯型分注容器の容易な据え付けを可能にする基部を提供する、独自仕様の分注容器システムのための需要が存在する。さらに、消費された携帯型分注容器が容易に取り換えられることを可能にするための、独自仕様の分注容器システムのための需要が存在する。追加的に、携帯型分注容器の使用を監視する基部を提供するための、独自仕様の分注容器システムのための需要が存在する。またなお、例えば、材料の量、材料の種類、及び携帯型分注容器の製造日などの、携帯型分注容器とそこに含まれる材料に関連付けられる種々の特徴又は属性を識別することができる基部を提供するための、独自仕様の分注容器システムのための需要が存在する。加えて、携帯型分注容器の属性、その中に担持される材料、及びその使用法に関連付けられる種々の情報を表示する基部を提供するための、独自仕様の分注容器システムのための需要が存在する。
【課題を解決するための手段】
【０００６】
前述に鑑みて、作動されると材料をそこから分注する分注ノズルを有する分注容器と、分注容器を担持するための基部と、基部によって担持される支持プラットフォームであって、分注容器が支持プラットフォーム上に置かれたときに、分注容器によって担持される１つ以上のインジケータの配置を検出するように構成される感知表面を含む支持プラットフォームと、基部によって担持されるディスプレイと、このディスプレイ及び感知表面に連結されるコントローラであって、１つ以上のインジケータの規定の配置によってそれぞれ定義される１つ以上のインジケータプロフィールに関連付けられる分注容器属性データを格納するコントローラとを備え、ディスプレイが、分注容器によって担持される感知表面によって検出された１つ以上のインジケータの配置と一致する、インジケータプロフィールに関連付けられる格納された分注容器属性データを提示する、独自仕様の分注システムを提供することは、本発明の第１の態様である。
【０００７】
作動されると材料をそこから分注する分注ノズルを有する分注容器であって、１つ以上のインジケータがその中に配設され、既定のパターンで配置される受容開口を持つ基部表面を有する分注容器と、分注容器を担持するための基部であって、この基部によって担持されるキーアームを有し、このキーアームは、分注容器をキーアームに摺動自在に保持するように受容開口内で受容されるように構成され、このキーアームは、分注容器によって担持される１つ以上のインジケータの配置を検出するように構成される感知表面を含む基部と、基部によって旋回するように担持され、キーアームがその中を通るキー開口を有する、支持プラットフォームであって、基部から上向きに弾性的に偏向される支持プラットフォームと、センサに連結されるコントローラであって、１つ以上のインジケータの既定の配置によってそれぞれ定義される、１つ以上のインジケータプロフィールに関連付けられる分注容器属性データを格納するコントローラと、コントローラに連結されるディスプレイとを備え、分注容器の受容開口がキーアームを受け取ったとき、分注容器の基部表面が支持プラットフォームによって担持され、かつディスプレイが、感知表面によって検出された分注容器の１つ以上のインジケータの配置と一致する、インジケータプロフィールに関連付けられる格納された分注容器属性データを提示する、独自仕様の分注システムを提供することは、本発明の別の態様である。
【０００８】
取り付け開口を有する分注容器であって、分注容器によって担持される液体材料を受容するための注入口を持ち且つドームポンプ及び分注ノズルと流体連通する管を有し、注入口とドームポンプとの間に一方向弁が配設される分注容器と、分注容器を担持するための基部であって、この基部を表面上で垂直に支持するための静止区域を有し、旋回端を形成するために、この静止区域の一端から上向きに表面から離れて伸長する旋回区域を含む基部と、旋回区域から伸長する壁であって、そこを通る旋回開口を有する壁と、基部から伸長する突出部であって、ドームポンプを選択的に作動させるように構成される突出部と、旋回開口によって担持される作動アセンブリであって、基部に関連して旋回するように構成され、分注容器の取り付け開口内で係止するように受容されるように構成される、作動アセンブリと、基部によって担持され、カウント値を格納するコントローラと、コントローラに連結されるスイッチであって、分注容器と動作可能に整列するために基部によって担持される、スイッチと、コントローラに連結されるディスプレイとを備え、ドームポンプが突出部によって作動されて分注ノズルから材料を分注することができるように、分注容器が作動アセンブリによって旋回されると、スイッチが作動してカウント値を更新し、これがディスプレイ上に提示される、独自仕様の分注システムを提供することは、本発明のなお別の態様である。
【０００９】
作動されるとそこから材料を分注する分注ノズルを有する分注容器であって、停止タブ及び係合アームを含む基部表面を有し、係合アームがそこから伸長する１つ以上の制御タブを有する分注容器と、基部によって可動に担持される支持プラットフォームを有する基部であって、支持プラットフォームが、誘導スロットと、そこを通って配設される１つ以上の停止スロットとを有し、誘導スロットが、そこを通って係合アームを受容するように構成され、１つ以上の停止スロットのうちの１つが、その中で停止タブを受容するように構成される、基部と、基部によって担持される少なくとも１つの電位差計であって、それぞれの電位差計が制御タブによって回転されるように構成される電位差計と、少なくとも１つの電位差計に連結されるコントローラであって、それぞれの少なくとも１つの電位差計の回転の量によって定義される、１つ以上の参照プロフィールに関連付けられる分注容器属性データを格納するコントローラと、コントローラに連結されるディスプレイとを備え、分注容器が支持プラットフォームの上に担持され、停止タブが１つ以上の停止スロットのうちの端のものによって停止されるまで回転され、１つ以上の制御タブが少なくとも１つの電位差計を既定の量回転させ、ディスプレイがそれぞれの少なくとも１つの電位差計の回転の量と一致する、参照プロフィールに関連付けられる格納された分注容器属性データを提示する、独自仕様の分注システムを提供することは、本発明のまた別の態様である。
【図面の簡単な説明】
【００１０】
【図１】本発明の概念に従う、基部に取り外し可能に取り付けられる分注容器を有する、独自仕様の分注容器システムの斜視図である。
【図２】本発明の概念に従う、基部から分注容器が取り外された、独自仕様の分注容器システムの斜視図である。
【図３】本発明の概念に従う、独自仕様の分注容器システムの基部の分解図である。
【図４】本発明の概念に従う、独自仕様の分注容器システムの分注容器に取り付けられた基部の断面図である。
【図５Ａ】本発明の概念に従う、通常の静止位置にある、独自仕様の分注容器システムによって提供される、ばねで偏向された支持プラットフォームを示す基部の断面図である。
【図５Ｂ】本発明の概念に従う、分注容器が作動されたときに作動位置にある独自仕様の分注容器システムによって提供される、ばねで偏向された支持プラットフォームを示す基部の断面図である。
【図６】本発明の概念に従う、基部から分注容器が取り外された、代替の独自仕様の分注容器システムの斜視図である。
【図７】本発明の概念に従う、分注容器が基部に取り付けられている、代替の独自仕様の分注容器システムの斜視図である。
【図８】本発明の概念に従う、代替の独自仕様の分注容器システムの基部の底部の斜視図である。
【図９】本発明の概念に従う、分注容器の底部の斜視図である。
【図１０】本発明の概念に従う、代替の独自仕様の分注容器システムの基部の上面図である。
【図１１】本発明の概念に従う、分注容器がそこから取り外されている、代替の独自仕様の分注容器システムの断面図である。
【図１２】本発明の概念に従う、分注容器が基部に取り付けられた、代替の独自仕様の分注容器システムの断面図である。
【図１３】本発明の概念に従う、独自仕様の分注容器システムの別の実施形態の分解図である。
【図１４】本発明の概念に従う、分注容器が基部に取り付けられた、独自仕様の分注容器システムの断面図である。
【図１５】本発明の概念に従う、独自仕様の分注容器システムによって利用される動作アセンブリの分解図である。
【図１６】本発明の概念に従う、独自仕様の分注容器システムによって利用される動作アセンブリの斜視図である。
【図１７】本発明の概念に従う、独自仕様の分注容器システムの基部とともに用いられるように構成される分注容器の斜視図である。
【図１８】本発明の概念に従う、独自仕様の分注容器システムの基部に取り付けられた分注容器の斜視図である。
【図１９】本発明の概念に従う、基部の中で回転して材料をそこから分注する分注容器の斜視図である。
【図２０】本発明の概念に従う、作動アセンブリがそれと一体である、代替の基部及び取り付けられた分注容器の断面図である。
【図２１】本発明の概念に従う、作動アセンブリがそれと一体である独自仕様の分注容器システムによって提供される、図２０に示される代替の基部の分解図である。
【図２２】本発明の概念に従う、分注容器が基部から取り外された独自仕様の分注容器システムの別の実施形態の断面図である。
【図２３】本発明の概念に従う、分注容器が基部に取り付けられた独自仕様の分注容器システムの断面図である。
【図２４】本発明の概念に従う、分注容器の斜視図である。
【図２５】本発明の概念に従う、分注容器とともに用いられるように構成される基部の分解図である。
【図２６】本発明の概念に従う、基部の底部の立面図である。
【図２７】本発明の概念に従う、基部に取り付けられた分注容器の断面図である。
【図２８】本発明の概念に従う、分注容器のノズルが押し下げられたときの、基部に取り付けられた分注容器の断面図である。
【発明を実施するための形態】
【００１１】
本発明の十分な理解のため、以下の詳細な説明、付属する特許請求の範囲、及び添付の図面を参照されたい。
【００１２】
図面の図１〜図５に示されるように、独自仕様の分注容器システムは概して数字の１０と呼称される。独自仕様の分注容器システム１０は、液体石鹸、殺菌剤、保湿剤及び同類のものなどの任意の適切な材料を分注するように構成される、携帯型分注容器２０を含む。分注容器２０はまた、分注ノズル３０と、分注される材料を担持する入れ物４０と流体連通するポンプ３２とを含む。そのため、ポンプ３２がユーザの手による分注ノズル３０の押し下げによって作動されると、入れ物４０の中に担持される液体材料がそこから分注される。
【００１３】
分注容器２０の入れ物４０は、図２に示すように、分注容器２０の基部表面５０から実質的に直角に伸長する複数の環状の同心整列肋材６０Ａ〜Ｘを含む、基部表面５０を含む。分注容器２０の基部表面５０に配設され、かつ整列肋材６０Ａ〜Ｘと同心的に配置されるのが、同心インジケータチャネル７０Ａ〜Ｘである。インジケータチャネル７０Ａ〜Ｘは、整列肋材６０Ａ〜Ｘに隣接して交互に配設され、そこに配設される１つ以上のインジケータ８０Ａ〜Ｘを含む。インジケータ８０Ａ〜Ｘは、任意の適切な磁石、容量的に検出可能なマーカ、又は他の電気的に検出可能なマーカ又は例えばトークンを備え得る。インジケータ８０Ａ〜Ｘは、同心インジケータチャネル７０Ａ〜Ｘの中に配置されるように示されているが、インジケータチャネル７０Ａ〜Ｘ及びその中に配設されるインジケータ８０Ａ〜Ｘは、任意の所望の構成に配向されるか又は配置され得ることもまた企図される。具体的には、分注容器２０の上に提供されるインジケータ８０Ａ〜Ｘの位置又は配向は、材料の種類、材料の量、製造日、及び同類のものなどの、分注容器２０及びその中に担持される材料に関連付けられる種々の属性データを定義する。例えば、１つ以上のインジケータ８０Ａ〜Ｘが、分注容器２０が石鹸を含むことを示すために配置されてもよく、分注容器２０が保湿剤を含むことを示すために配置されてもよく、又は分注容器２０が殺菌剤を含むことを示すために配置されてもよい。
【００１４】
分注容器２０は、図２に示すように、支持プラットフォーム１２０によって部分的に境界を付けられた受容空洞１１０を有する基部１００の上に置かれるように構成される。支持プラットフォーム１２０は、内部及び外部表面１２２、１２４を有し、かつ基部１００の周縁部の周りに配設された開口１３６を保持するために取り付けられたピン１３４によって保持されるばね１３０によって基部１００からつり下げられる。ばね及びピン１３０、１３４は、支持プラットフォーム１２０が通常の静止位置と作動位置との間で摺動することを可能にし、これは以下で詳細に説明される。
【００１５】
支持プラットフォーム１２０の内部表面１２２の上に配設されるのが、複数の環状の同心基部チャネル１４０Ａ〜Ｘであり、これは同心感知表面１５０Ａ〜Ｘと交互に配置される。つまり、支持プラットフォーム１２０の内部表面１２２の中へと伸長する同心基部チャネル１４０Ａ〜Ｘは、その中に分注容器２０の整列肋材６０Ａ〜Ｘを受容するように構成され、それにより分注容器２０のインジケータ８０Ａ〜Ｘの支持プラットフォーム１２０の感知表面１５０Ａ〜Ｘとの整列を促進する。整列肋材６０Ａ〜Ｘ及び基部チャネル１４０Ａ〜Ｘは、適合する分注容器２０のみが基部１００とともに利用されることを確実にするような大きさ及び寸法とされ得ることが理解されるべきである。言い換えると、分注容器２０の整列肋材６０Ａ〜Ｘが支持プラットフォーム１２０の基部チャネル１４０Ａ〜Ｘと適正に結合することに失敗した場合、分注容器２０は支持プラットフォーム１２０によって適正に支持されず、基部１００とともに使用するには不安定かつ不適合とする。加えて、同心感知表面１５０Ａ〜Ｘは、分注容器２０のインジケータチャネル７０Ａ〜Ｘ内に配設されるインジケータ８０Ａ〜Ｘの存在の有無を検出するように構成される、磁気センサ又は容量センサなどのセンサを含む。ゆえに、分注容器２０が基部１００の受容空洞１１０内に置かれると、分注容器２０の同心整列肋材６０Ａ〜Ｘが支持プラットフォーム１００の対応する基部チャネル１４０Ａ〜Ｘ内で受容される。そのため、適合する分注容器２０が基部１００とともに用いるように構成され、支持プラットフォーム１２０の上に置かれると、インジケータ８０Ａ〜Ｘは、基部１００の感知表面１５０Ａ〜Ｘと動作可能に整列するように置かれることができるように配向される。加えて、基部１００は、下記で説明されるシステム１０の種々のコンポーネントへのアクセスを促進するために、そこに取り外し可能に取り付けられた基部プレート１５２を含む。
【００１６】
基部１００はまた、支持プラットフォーム１２０の外部表面１２４に取り付けられた回路基板１８８を含む。具体的には、回路基板１８８は、下記で説明される機能を実行するために必要な、必要なハードウェア及びソフトウェアを提供するコントローラ１９０を含む。コントローラ１９０に連結されているのは、ＬＥＤ（発光ダイオード）ディスプレイか、又は任意の他の適切なディスプレイなどのディスプレイ１９２である。コントローラ１９０及びディスプレイ１９２は、バッテリ又は太陽電池などの携帯型ＤＣ（直流）電源などか、又は標準的な電気コンセントからのＡＣ（交流）電源などの任意の適切な電源１９４によって電源供給される。
【００１７】
コントローラ１９０は、インジケータ８０Ａ〜Ｘの既定のパターン又は配置によって定義される、種々の格納されたインジケータプロフィールに関連付けられる分注容器属性データによって予めプログラムされている。つまり、コントローラ１９０はインジケータ８０Ａ〜Ｘの種々のパターン又は配置を、分注容器によって担持される材料の種類（石鹸、保湿剤、又は殺菌剤）、分注容器によって担持される材料の量、分注容器の製造日、材料の使用期限日、及び同類のものを含むがこれらに限定されない、分注容器２０及びその中に担持される材料に関連付けられる種々の種類の情報を含む分注容器属性データに関連付けられるインジケータプロフィールとして格納するように構成される。そのため、分注容器２０が基部１００の受容空洞１１０内に挿入されると、１つ以上のインジケータ８０Ａ〜Ｘの位置が支持プラットフォーム１２０の感知表面１５０Ａ〜Ｘによって検出される。感知表面１５０Ａ〜Ｘが、コントローラ１９０に格納された予めプログラムされたインジケータプロフィールと一致するインジケータ８０Ａ〜Ｘのパターン又は配置を検出すると、コントローラ１９０は、一致するインジケータプロフィールに関連付けられる分注容器属性データをディスプレイ１９２上に提示する。
【００１８】
分注容器属性データをそれぞれの特定のインジケータプロフィール又はインジケータ８０Ａ〜Ｘの配置と関連付ける代わりに、コントローラ１９０はまた、上述の属性データを含む情報を読み取ったり解釈したりするために、妥当な論理とともに構成されてもよく、これはインジケータ８０Ａ〜Ｘの相対位置によって符号化される。つまり、インジケータ８０Ａ〜Ｘの相対位置又は配置が、感知表面１５０Ａ〜Ｘによって可読である符号を定義する。コード又はインジケータプロフィールがいったん読み取られると、これは次にコントローラ１９０によってディスプレイ１９２上での提示のための情報に復号される。
【００１９】
回路基板１８８はまた、コントローラ１９０に連結され、分注容器２０の分注ノズル３０が押し下げられてそこから材料を分注すると、支持プラットフォーム１２０が図５Ａに示されるその通常の静止位置から、図５Ｂに示される作動位置に動かされるにつれて、基部１００の基部プレート１５２に係合するように構成される作動スイッチ１９６を含む。つまり、分注容器２０の分注ノズル３０が押し下げられるか、又は別様に作動されると、コントローラ１９０で維持されるカウント値がインクリメントされるか又は更新され、ディスプレイ１９２を介した閲覧のために提示されるように、作動スイッチ１９６もまた作動される。そのため、カウント値は、発生した分注ノズル３０の作動、又はある期間にわたって分注容器２０で行われた材料の分注の合計数を識別する働きをする。一態様において、コントローラ１９０によって維持されるカウント値は、新規の分注容器が基部１００に挿入される毎に、インジケータ８０Ａ〜Ｘの存在の有無を検出することにより、又は支持プラットフォーム１２０を押し下げることにより、スイッチ１９６を既定の順序で作動させて、カウント値ゼロにリセットされ得る。かかるリセット構成は、本願に記載の種々の他の実施形態によって用いられ得ることが理解されるべきである。
【００２０】
代替的に、取り付ける基部１００の同心感知表面１５０Ａ〜Ｘは、分注容器２０の基部表面５０のインジケータチャネル７０Ａ〜Ｘから伸長するタブ又は突出部を備える、インジケータ８０Ａ〜Ｘと動作可能に連通するような手法で位置付けられるスイッチを含み得る。そのため、分注容器２０が基部１００の受容空洞１１０内に挿入されると、インジケータ８０Ａ〜Ｘを備えるタブが基部１００の感知表面１５０Ａ〜Ｘによって提供される１つ以上のスイッチを作動させる。感知表面１５０Ａ〜Ｘによって提供されるスイッチがコントローラ１９０に格納された予めプログラムされたインジケータプロフィールのうちの１つと一致する構成で作動された場合、コントローラ１９０は、格納されたインジケータプロフィールに関連付けられる分注容器属性データをディスプレイ１９２を介して示す。
【００２１】
可読のインジケータ８０Ａ〜Ｘから取得された分注容器属性データもまた、分注容器２０の中の材料の残量、使用割合、及び他のデータなどの種々の情報のディスプレイ１９２上での提示のための演算をするために、格納されたカウント値とともにコントローラ１９０によって処理され得る。
【００２２】
図６〜図１２に進み、符号２００と呼称される独自仕様の分注容器システムは、壁２３１によってそれらの周縁の周りで接合する、対向する、間隔をあけた上部及び下部区域２２０及び２３０を有する基部２１０を含む。対向する上部及び下部表面２５２及び２５４を有する支持プラットフォーム２５０は、基部２１０の上部区域２２０の中に配設されたプラットフォーム開口２６０内に旋回するように取り付けられる。プラットフォーム開口２６０の周縁部の周りに配設されるのは、その中で携帯型（使い捨て可能／取り換え可能）分注容器２８０の整列を下記で説明される手法で促進する誘導壁２７０である。支持プラットフォーム２５０はばね２７２によって旋回するように偏向され、基部２１０によって提供されるボス２９１によって担持されるシャフト２９０の周りを旋回するように構成される。支持プラットフォーム２５０は、誘導壁２７０から伸長するキーアーム３１０のそこを通る通過に適応するために、直線形状、曲線形状、又はその両方の組み合わせなどの任意の適切な形状を備え得るキー開口３００を含む。つまり、キー開口３００は、支持プラットフォーム２５０が下記で説明されるような手法で旋回されるにつれて、そこを通るキーアーム３１０を受容するように構成される。さらに、分注容器２８０が支持プラットフォーム２５０に取り付けられていない場合、支持プラットフォーム２５０は、キーアーム２５０がキー開口３００を貫通することを可能にする一方で、図６に示すように、初期位置に置かれ、それにより上向きに、基部２１０の上部区域２２０から離れて斜角に伸長するように、位置付けられるか偏向されるように構成される。
【００２３】
キーアーム３１０は、下記で説明される機能を実行するために必要である、必要なハードウェア及びソフトウェアを含むコントローラ３５０に連結される１つ以上のセンサ３４０を含む感知表面３３０を含む。センサ３４０は、例えば磁気センサ、光学センサ、容量センサ、又はＲＦＩＤ（無線自動識別）リーダなどの任意の適切な感知又は電子読み取りシステムを備え得ることが認識されるべきである。具体的には、センサ３４０は、分注容器２８０及びその中に担持される材料に関連する分注容器属性データを、後に詳述される電子的に可読なデータトークン又は分注容器２８０によって担持されるインジケータから得るように構成される。
【００２４】
加えて、ＬＣＤ（液晶ディスプレイ）ディスプレイなどのディスプレイ３６０もまた、下記で説明される分注容器属性データなどの種々のデータを提示するために、コントローラ３５０に連結される。電源３６２はコントローラ３５０に連結され、例えばバッテリ又は太陽電池などの携帯型ＤＣ（直流）電源などの任意の適切な動力源を含んでもよく、又は代替的に標準的な電気コンセントなどのＡＣ（交流）電源を備え得る。加えて、基部２１０は、マイクロスイッチなどの作動スイッチ４００を含み、これもまたコントローラ３５０に連結され、かつこれは支持プラットフォーム２５０の下部表面２５４と動作可能に接触している。ゆえに、支持プラットフォーム２５０が基部２１０のプラットフォーム開口２６０を通って下向きに回転又は旋回すると、スイッチ４００が作動される。特に、スイッチ４００は、スイッチ４００が作動される毎にコントローラ３５０に維持されるカウント値をインクリメントするか又は更新し、支持プラットフォーム２５０の上に担持される分注容器２８０が下記で説明されるような手法でユーザによって作動された回数をカウントする。
【００２５】
図９に示すように、分注容器２８０は、例えば液体石鹸、殺菌剤、又は保湿剤などの任意の所望される材料を担持する入れ物４１０を含む。材料は入れ物４１０から、押し下げられるとポンプ４３０を作動させる分注ノズル４２０から分注される。ゆえに、ユーザが分注ノズル４２０を下向きに押すことによってポンプ４３０を作動させると、入れ物４１０からの材料がそこから分注される。入れ物４１０はまた、図１０に示すように、そこに基部２１０のキーアーム３１０を摺動可能に受容するような寸法である受容開口４６０を含む底部表面４５０を含む。分注容器２８０の受容開口４６０及び基部２１０のキーアーム３１０は、任意の適合する、又は補完的な形状及び／又は寸法を帯び得ることが認識されるべきである。例えば、分注容器２８０が支持プラットフォーム２５０の上向きのばねの偏向によってキーアーム３１０から離れて上向きに持ち上げられることを防ぐため、保持区域４６１がキーアーム３１０の下に配設されるように、基部２１０のキーアーム３１０は細長い長方形の区域を備えてもよく、一方で受容開口４６０は長方形のスロットを備えてもよい。つまり、保持区域４６１は、下記で説明されるような手法で、ばねで偏向された支持プラットフォーム２５０によって分注容器２８０が持ち上げられて基部２１０から離れることを防ぐ。
【００２６】
分注容器２８０の受容開口４６０内に配設されるのは、１つ以上の電子的に可読のデータトークン又はインジケータ４６２であり、これらは任意の電子的に可読のしるしか、又は磁石、磁気帯、バーコード、ＲＦＩＤ（無線周波数識別）タグなどの他の電子的に可読の媒体か、又は可読であるか又は基部２１０によって提供される１つ以上のセンサ３４０によって別様に感知又は検出されることができる任意の他の媒体を備え得る。例えば、インジケータ４６２は、分注容器２８０及びその中に担持される材料に関連付けられる特定の分注容器属性データを識別する、任意に所望の構成に配置されることができる磁石を備え得る。そのため、コントローラ３５０は、インジケータ４６２の種々の既定のパターン又は配置によって定義される１つ以上のインジケータプロフィールに関連付けられる分注容器属性データによって予めプログラムされている。つまり、コントローラ１９０はインジケータ４６２の種々の格納されたパターン又は配置のそれぞれ（すなわち、インジケータプロフィール）を、分注容器によって担持される材料の種類、分注容器によって担持される材料の量、分注容器の使用期間、材料の使用期限日、及び同類のものを含むがこれらに限定されない、分注容器２８０及びその内容物に関連付けられる種々の種類の情報を含む分注容器属性データに関連付けるように構成される。
【００２７】
代替的に、インジケータはまた、例えば分注容器２８０によって担持される材料の種類、分注容器２８０によって担持される材料の量、及び分注容器２８０の中の材料の製造日を含むがこれらに限定されない、分注容器２８０及びその内容物に関連付けられる種々の分注容器属性データに関する情報を含むように構成されるデータトークン４６２を備え得る。一態様では、データトークン４６２は、分注容器２８０及びその内容物に関わる種々の分注容器属性データを識別することができるように、種々の配向で位置付けられるか配置される磁石を備え得る。可読のデータトークン４６２から取得された分注容器属性データは、分注容器２８０の中の材料の残量、使用割合、及び他のデータなどの種々の情報のディスプレイ３６０上での提示のための演算をするために、格納されたカウント値とともにコントローラ３５０によって処理され得る。
【００２８】
分注システム２００を動作させるために、支持プラットフォーム２５０は図１１に示すようにその初期の傾斜した位置から、図１２に示すように支持プラットフォーム２５０が基部２１０の上部区域２２０と実質的に水平になるように、動作位置へと下向きに回転される。支持プラットフォーム２５０の動作位置への下向きの回転は、ばね２７２の偏向を克服し、基部２１０の上部区域２２０と実質的に水平になるように支持プラットフォーム２５０を位置付け、キーアーム３１０が支持プラットフォーム２５０のキー開口３００を完全に通って伸長することを可能にする。次に、キーアーム３１０は入れ物４１０の受容開口４６０内に挿入される。結果的に、支持プラットフォーム２５０が基部２１０の上部区域２２０に相対する実質的に水平な位置に保持される一方で、分注容器２８０は基部２１０に保持される。分注容器２８０がキーアーム３１０にいったん取り付けられると、感知表面３３０及びそのセンサ３４０が分注容器２８０によって担持される１つ以上のインジケータ４６２の位置又は配置を検出する。感知表面３３０がコントローラ３５０で、１つ以上の予めプログラムされたインジケータプロフィールによって定義される配置と一致するインジケータ４６２のパターン又は配置を検出すると、コントローラ３５０は、一致するインジケータプロフィールに関連付けられる分注容器属性データをディスプレイ３６０上に提示する。
【００２９】
代替的に、データトークン４６２の場合、分注容器２８０が基部２１０に取り付けられると、センサ３４０が分注容器２８０によって担持される１つ以上のデータトークン４６２の中に格納されるか、又はこれによって定義される分注容器属性データを読み取るか、又は別様に直接取得する。
【００３０】
さらに、支持プラットフォーム２５０の、それによって基部２１０の上部区域２２０と実質的に水平になる動作位置への回転はまた、支持プラットフォーム２５０の下部表面２３０をスイッチ４００と動作可能に接触させる。分注容器２８０によって提供される保持区域４６１の位置とともに、受容開口４６０の寸法は、ばね２７２が支持プラットフォーム２５０を介して分注容器２８０を上向きに偏向し続ける一方で、分注容器２８０がキーアーム３１０上に、及びキーアーム３１０に関して、上下に摺動するか又は平行移動することを可能にする。ゆえに、ユーザが分注ノズル４２０を押し下げて入れ物４１０から材料を分注するにつれて、支持プラットフォーム２５０が下向きに旋回又は回転してスイッチ４００を動作させ、これによりコントローラ３５０に維持されたカウント値をインクリメントする。言い換えると、分注容器２８０が基部２１０に取り付けられているときに、分注容器２８０が作動されて材料を分注する毎に、支持プラットフォーム２５０は、ユーザの手による力が加えられることにより、プラットフォーム開口２６０を通って下向きに回転し、スイッチ４００を作動させてコントローラ３５０のカウント値をインクリメント又は更新させる。コントローラ３５０に維持されるカウント値、インジケータ又はデータトークン４６２を読み取ることによって取得された種々の他の情報又はデータは、コントローラ３５０によってかかる情報に基づいて演算された種々の他の情報とあわせて、ディスプレイ３６０を介してシステム１０のユーザに提示され得ることもまた認識されるべきである。
【００３１】
ゆえに、不適合な分注容器が用いられると、ばねで偏向される支持プラットフォーム２５０が分注容器２８０を適正に支持するために実質的に水平な位置に維持又は保持されず、基部２１０は、ともに使用されることになるキーアーム３１０の形状／寸法を受容する、適合するキー開口４６０を有する認可された分注容器２８０のみを許可する。例えば、認可されていない分注容器が基部２１０のキーアーム３１０に取り付けられるように試みられた場合には、補完的な又は適合するような形状及び／又は寸法とされた保持開口４６０を含むことができず、垂直な角度の支持プラットフォーム２５０の上向きのばね偏向が基部２１０から分注容器を排出し、認可されていない分注容器がその上にしっかりと静止することを防ぎ、ゆえに認可されていない分注容器が使用されることを防ぐ。
【００３２】
独自仕様の分注容器システムの別の実施形態は、図面の図１３〜図２１に示すように、符号５５０と呼称される。具体的には、独自仕様の分注容器システム５５０は、対向する側面区域５６４及び５６６と、基部区域５６２から伸長して空洞５８０を形成する前方及び後方区域５７０及び５７４によって境界される基部区域５６２を有する基部５６０を含む。基部区域５６２は、傾斜又は先細の旋回区域５９４が上向きに、静止区域５９０から離れて基部５６０の後方区域５７４まで伸長する一方で、前方区域５７０から旋回端５９２まで伸長する静止区域５９０を備える。そのため、図１４に示すように、基部５６０が机や調理台などの平坦な支持プラットフォーム５９６上に置かれると、静止区域５９０から離れるような角度とされている旋回区域５９４が、表面５９６よりも上へと持ち上げられ、平坦な支持プラットフォーム５９６と基部区域５６２の旋回表面５９４との間に先細溝６００を形成する一方で、静止区域５９０が表面５９６上で基部５６０を支持する。
【００３３】
その周縁部の周りに配設される１つ以上の係止開口６０３を有する環状旋回開口６０２は、そこに軸方向に整列した旋回環６０６が基部５６０の側面区域５６６の内部表面上に配設される一方で、側面区域５６４を貫いて配設される。静止区域５９０の内部表面６１０から伸長するのは、図１４及び図１８に示すように、コントローラ６３０及び液晶ディスプレイ（ＬＣＤ）などのディスプレイ６４０に連結される作動スイッチ６２０である。コントローラ６３０が、下記で説明される機能を実行するために必要な、必要なハードウェア及びソフトウェアを含むことが認識されるべきである。コントローラ６３０及びディスプレイ６４０は、例えばバッテリ又は太陽電池などの携帯型ＤＣ（直流）電源などや、ならびに標準的な電気コンセントなどのＡＣ（交流）電源などの任意の適切な電源６５０によって電源供給され得る。静止区域５９０の内部表面６１０から伸長するのは、基部の側面区域５６４と５６６との間に伸長する支持区域６８０である。支持区域６８０は、傾斜したプランジャ又は突出部６８８が支持区域６８０の内部表面６８２から基部５６０の空洞５８０の中へと伸長するように、内部表面６８２と外部表面６８４とを含む。
【００３４】
図１５及び図１６に示すように、基部５６０の空洞５８０内に配設されるのは、対向する取り付け具及び受容端部７１２及び７１４を有する支持シャフト７１０を備える作動アセンブリ７００である。シャフト７１０の端部７１２に配設されるのは、係止タブ７１６を含む係止キャップ７１５である。支持シャフト７１０はまた、シャフト７１０の受容端部７１４に隣接する点で支持シャフト７１０を囲むクリップチャネル７２０を含む。加えて、支持シャフト７１０はまた、支持シャフト７１０の受容端部７１４からその長さの一部に沿って伸長する直線保持チャネル７２４を含む。支持シャフト７１０は、ばね７３０の一端が支持シャフト７１０に取り付けられるように、細長いばね７３０を貫いて伸長する。具体的には、ばね７３０は、ばね７３０の端部７３４が支持シャフト７１０の保持チャネル７２４内で受容され、一方でばね７３０の残りの端部７３２が支持シャフト７１０の取り付け端部７１２の近くに提供されるように構成されるように、対向する端部７３２及び７３４を含む。一態様では、ばね７３０の端部７３２、７３４は、ばね７３０の長手方向軸及び支持シャフト７１０から実質的に直角に伸長するタブを備える。
【００３５】
支持シャフト７１０及びばね７３０は、細長くかつ実質的に円筒形の旋回スリーブ７５０内で受容される。具体的には、旋回スリーブ７５０は、支持シャフト７１０の受容端部７１４が旋回スリーブ７５０の端部７５４に近接するように、及び支持シャフト７１０の取り付け端部７１２が旋回スリーブ７５０の端部７５２に近接するように、対向する端部７５２及び７５４を含む。加えて、旋回スリーブ７５０は、旋回スリーブ７５０の端部７５２に近接するように位置付けられ、かつ支持シャフト７１０の取り付け端部７１２に近接するばね７３０の端部７３２をその中に受容するように構成される、整列スロット７６０を含む。旋回スリーブ７５０の外部表面７６４から実質的に直角に伸長しているのが整列突出部７７０である。旋回スリーブ７５０は、クリップチャネル７２０の中で圧縮受容される保持クリップ７７４によって支持シャフト７１０に保持される。そのため、旋回スリーブ７５０は、旋回スリーブ７５０がばね７３０によって加えられた力に逆らい、かつ支持シャフト７１０に相対して回転したとき、解放されると旋回スリーブ７５０が逆回転して元の位置に戻るように、ばね７３０によって弾性的に支持シャフト７１０に偏向される。
【００３６】
基部５６０は、例えば石鹸、殺菌剤、又は保湿剤などの任意の適切な材料を担持する入れ物７９２を含む、図１７に示す携帯型（使い捨て／交換式）分注容器７９０とともに用いられるように構成される。分注容器７９０はまた、その中に旋回スリーブ７５０を受容するように構成される取り付け開口７９４を含む。特に、取り付け開口７９４は、その中に旋回スリーブ７５０の整列突出部７７０を受容するように構成されるキースロット７９５とともに構成される。材料を分注するために、分注容器７９０は、入れ物７９２の外部表面８００上に担持されるドームポンプ７９６を含み、これは図１４に示すように、管８０２によって分注ノズル８０６に流体連結される。管８０２はまた、ドームポンプ７９６への配送のために、液体材料を入れ物７９２から管８０２の中へと引き込む注入口８０７を含む。加えて、一方向弁８０８は、ドームポンプ７９６と注入口８０７との間の点で管８０２と一列に並んで置かれる。そのため、一方向弁８０８は、ドームポンプ７９６が圧縮状態（すなわち、作動状態）から非圧縮状態（すなわち、静止状態）へと推移したとき、液体材料のみが分注容器７９０から注入口８０７を介してドームポンプ７９６へ引き出されることを可能にする役割をする。代替的に、一方向弁８０８は、ドームポンプ７９６が非圧縮状態（すなわち、静止状態）から圧縮状態（すなわち、作動状態）に推移したとき、液体材料を分注ノズル８０６から転出させる。具体的には、ドームポンプ７９６は、議論されるように基部５６０の支持区域６８０の内部表面６８２から伸長する、傾斜したプランジャ又は突出部６８８によって与えられたその圧縮によって作動される。
【００３７】
分注システム５５０を動作させるために、分注容器７９０は、図１８に示すように基部５６０の空洞５８０内に置かれる。次に、分注容器７９０の取り付け開口７９４は、基部５６０の環状旋回開口６０２及び旋回環６０６と軸方向に整列する。いったん整列すると、支持シャフト７１０、ばね７３０、及び旋回スリーブ７５０を含む作動アセンブリ７００が、基部５６０の環状旋回開口６０２及び入れ物７９２の取り付け開口７９４を貫いて挿入され、すると支持シャフト７１０の受容端部７１４が基部５６０の旋回環６０６の中に受容される。さらに、旋回スリーブ７５０は、旋回スリーブ７５０の整列突出部７７０が分注容器７９０のキースロット７９５内で受容され、分注容器７９０を旋回スリーブ７５０に係止することができるように、入れ物７９２の取り付け開口７９４内で受容されるように構成される。最後に、作動アセンブリ７００が基部５６０から外れかかることを防ぐため、作動アセンブリ７００から提供される係止キャップ７１５の係止タブ７１６が、基部５６０の対応する係止開口６０３の中に受容される。そのため、旋回環６０６内に担持される係止ばね（図示さず）が係止タブ７１６を戻り止めの中に保持する一方で、係止キャップ７１５は、係止タブ７１６が基部５６０の中の対応する戻り止めの中に固定されることを可能にするために回転する。
【００３８】
いったん分注容器７９０が作動アセンブリ７００の旋回スリーブ７５０に取り付けられると、分注容器７９０は支持シャフト７１０に対して回転又は旋回することを許可される。ばね７３０は、ドームポンプ７９６がプランジャ６８８と接触せずに維持されるように、図１８に示すように、分注容器７９０をその通常の静止位置で偏向又は別様に位置付けすることができるように、分注容器７９０の突出部６８８の方への回転に対抗する役割をする。しかしながら、分注容器７９０から材料を分注することをユーザが所望すると、図１９に示すようにドームポンプ７９６が突出部６８８によって圧縮されるように、このユーザは図１８に示すように分注容器７９０をその初期の又は通常の静止位置から基部５６０の前方区域５７０の方へ回転させる。つまり、旋回スリーブ７５０は、分注容器７９０が、ドームポンプ７９６が係合するか、又は突出部６８８によって別様に圧縮されるように旋回又は回転することを可能にするように、支持シャフト７１０の上で回転する。ドームポンプ７９６が圧縮され、分注容器７９０が回転されるにつれて、一方向弁８０８は閉じたままとなり、ドームポンプ７９６によって担持される液体材料が管８０２を強制的に通り、分注ノズル８０６から分注される。
【００３９】
加えて、分注容器７９０の突出部６８８への回転は、分注容器７９０がスイッチ６２０と接触してコントローラ６３０に格納されたカウント値を更新又はインクリメントすることをもたらす。そのため、カウント値は、材料がシステム５５０によって分注容器７９０から分注された回数を示す。カウンタ値が、使用率を生成するため、分注容器の中の材料がいつ完全に消費されるかを予測するために、任意の他の所望される統計値を生成することとあわせて、コントローラ６３０によって格納又は遠隔的に取得された他の情報とともに使用され得るということが認識されるべきである。コントローラ６３０によって生成されたかかる情報は、ユーザや他の個人による閲覧のために、ディスプレイ６４０上に提示され得るということもまた企図される。
【００４０】
最後に、材料が分注容器７９０から分注された後、分注容器７９０は解放され、するとばね７３０が旋回スリーブ７５０及びそれによって突出部６８８から離れて担持される分注容器７９０を回転させ、図１８に示すようにその通常の静止位置に戻す。分注容器７９０がその通常の静止位置に戻るのと同時に、ドームポンプ７９６がその圧縮された又は作動された状態からその通常の静止位置に推移し、ゆえに一方向弁８０８を開く真空を形成する。これは、材料が分注容器７９０から管８０２の注入口８０７を通って取り出され、そして次に続く突出部６８８によるドームポンプ７９６の作動の間、分注のために一方向弁８０８を通ってドームポンプ７９６の中へ行くことを可能にする。
【００４１】
支持シャフト７１０、ばね７３０、旋回スリーブ７５０、及びチップ７７４を含む作動アセンブリ７００が、図２０及び２１に示すように、基部５６０と一体化されるようにも企図される。例えば、旋回スリーブ７５０が側面区域５６４から実質的に直角に伸長するように、支持シャフト７１０の取り付け端部７１２は、基部５６０の側面区域５６４と一体化され得る。加えて、対向する側面区域５６６は、分注容器７９０の旋回スリーブ７５０への取り付け及び取り外しを促進するために、ねじ又は他の適切な留め具を介して基部５６０から取り外されてもよい。
【００４２】
分注容器２８０のポンプ４３０及びノズル４２０などの手動作動ポンプ及び分注ノズルを有する認可されていない分注容器が基部５６０に取り付けられた場合、旋回端５９２及び傾斜区域５９４はその動作を防ぐ役割をする。つまり、ユーザの手によって実質的に鉛直方向に下向きに押し下げられなければならないポンプを利用する、認可されていない分注容器は、基部５６０を端部５９２で旋回させる。これは、基部５６０の静止区域５９０が、旋回区域５９４が支持表面５６９と接触するように溝６００を通って回転するにつれて、基部区域５６２の旋回区域５９４が台の表面５９６から持ち上げられて離れることをもたらす。旋回端５９２上のこの揺動運動は、基部５６０を不安定にし、ゆえに認可されていない分注容器からの材料の通常の分注を妨げ、それによりかかる認可されていない分注容器の基部５６０の中での使用を阻止する。
【００４３】
基部５６０が、例えばスイッチ６２０、コントローラ６３０、及び電源６５０などのその中の種々のコンポーネントを保護する役割をする柔軟な滑りカバー８８０を含み得ることもまた企図される。一態様では、滑りカバー８８０は、その通常及び能動位置の間における分注容器７９０の回転に対応するために、ばね又は他の機構によって偏向され得る。
【００４４】
別の実施形態では、図面の図２２〜図２８に示されるように、独自仕様の分注容器システムは概して符号９００と呼称される。分注システム９００は、それとともに流体連通しているポンプ９３０が分注ノズル９２０の圧縮によって作動されるときに、例えば石鹸、殺菌剤、又は保湿剤などの任意の適切な材料を分注ノズル９２０から分注する携帯型（使い捨て可能／取り換え可能）分注容器９１０を利用する。分注容器は、分注容器９１０を下記で説明されるように担持するように構成される、基部９８０の中に維持される１つ以上の電位差計９７０Ａ〜Ｃを回転させるように構成される、１つ以上の制御タブ９６０Ａ〜Ｃを含む係合アーム９５０を有する基部表面９４０を含む。具体的には、制御タブ９６０Ａ〜Ｃは種々の長さ及び形状であり得る。停止タブ９８２はまた、基部９８４上に位置付けられたときに、分注容器９１０の基部９４０から実質的に直角に伸長し、分注容器９１０の回転を所定又は既定の量に制限する役割をする。
【００４５】
基部９８０は、環状壁１０１０及び分注容器９１０の基部９４０がその上で静止する支持プラットフォーム１０２０によって境界される、環状受容空洞１０００を有するハウジング９８２を含む。支持プラットフォーム１０２０は、上部表面１０３０と、対向する下部表面１０３２を含み、そこを通って１つ以上の弓形誘導スロット１０３４及び１つ以上の弓形停止スロット１０３５が配設される。支持プラットフォーム１０２０は、基部９８０の中に配設される保持開口１０４６に取り付けられたピン１０４４によって保持されるばね１０４０上につり下げされる。そのため、支持プラットフォーム１０２０は、通常の静止位置と押し下げられた作動位置との間で基部９４０に相対して摺動することが可能とされ、これは以下で詳細に説明される。
【００４６】
支持プラットフォーム１０２０の下部表面１０３２に取り付けられるのは、図２５に示すように検出システム１１００であり、これは複数の回転電位差計９７０Ａ〜Ｃに連結されるコントローラ１１２０を備える。具体的には、コントローラ１１２０は、下記で説明される機能を実行するために必要なハードウェア及びソフトウェアを含む。コントローラ１１２０はまた、作動スイッチ１１５０及びＬＣＤ（液晶ディスプレイ）ディスプレイなどのディスプレイ１１６０に連結される。さらに、検出システム１１００は、バッテリ又は太陽電池を含む携帯型ＤＣ（直流）電源などの任意の適切な電源１１７０によって電源供給されるか、又は標準的な電気コンセントなどのＡＣ（交流）電源を備え得る。
【００４７】
電位差計９７０Ａ〜Ｃは、３６０度に回転するように構成され、かつ回転の共通軸に沿って軸方向に整列するように、積層構成に配置される。電位差計９７０Ａ〜Ｃのそれぞれから伸長するのは、分注容器９１０によって提供される１つ以上の制御タブ９６０Ａ〜Ｃと動作可能に接触するように構成される、さまざまな長さの対応する作動アーム１２５０Ａ〜Ｃである。また、作動アーム１２５０Ａ〜Ｃは、共通軸の周りを回転し、任意の長さ又は形状を帯び得る。そのため、分注容器９１０の制御タブ９６０Ａ〜Ｃの配置又は構成（すなわち、長さ、位置など）は、材料の種類、材料の量、製造日、及び同類のものなどを含むがこれらに限定されない、分注容器９１０及びその中に担持される材料に関連付けられる種々の分注容器属性データを識別するように構成される。つまり、コントローラ１１２０は、それぞれが既定の量のそれぞれの電位差計９７０Ａ〜Ｃの回転によって定義される種々の参照プロフィールに関連付けられる分注容器属性データによって予めプログラムされている。言い換えると、コントローラ１１２０は、１つ以上の電位差計９７０Ａ〜Ｃの回転の量を、関連付けられる分注容器属性データに関連付けるルックアップテーブルを格納する。
【００４８】
加えて、マイクロスイッチを備え得る作動スイッチ１１５０は、支持プラットフォーム１０２０の反対側に配設される基部９８０の底部に取り付けられるカバー区域１２６０から実質的に直角に伸長するプランジャアーム１１８０と動作可能に係合するように構成される。ゆえに、支持プラットフォーム１０２０が図２７に示すその通常の静止位置から図２８に示す作動位置へと下向きに動かされると、作動スイッチ１１５０がプランジャアーム１１８０によって作動されてコントローラ１１２０に格納された作動カウント値を更新する。そのため、作動カウント値は、分注容器９１０が作動された回数を定義する。
【００４９】
さらに、ディスプレイ１１６０は、作動カウント値ならびにコントローラ１１２０によって上述の制御タブ９６０Ａ〜Ｃによって与えられた電位差計９７０Ａ〜Ｃの回転から取得された、種々の他の分注容器属性データを含む種々の情報を提示するように構成される。
【００５０】
分注器９００の動作中、分注容器９１０は、図２７に示すように、分注容器９１０の基部表面９４０が支持プラットフォーム１０２０上に静止するように、受容空洞１０００の中に置かれる。これは、図２６に示すように、係合アーム９５０が、停止スロット１０３５のうちの１つを貫いて伸長するために、支持プラットフォーム１０２０の誘導スロット１０３４及び停止タブ９８２を貫いて伸長することを可能にする。次に、分注容器９１０は、図２６に示すように、停止タブ９８２が支持プラットフォーム１０２０の中の停止スロット１０３５の停止端１３００を係合するまで回転する。停止タブ９８２が停止スロット１０３５の中のその停止位置の中へと回転するにつれて、電位差計９７０Ａ〜Ｃが既定の量だけ回転されるように、制御タブ９６０Ａ〜Ｃが電位差計アーム１２５０Ａ〜Ｃと接触し回転させるように、係合アーム９５０は誘導スロット１０３４内で動く。そのため、電位差計９７０Ａ〜Ｃの回転の量がコントローラ１１２０に格納された予めプログラムされた参照プロフィールと一致した場合、コントローラ１１２０は、一致する参照プロフィールに関連付けられる分注容器属性データをディスプレイ１１６０上に提示する。つまり、コントローラ１１２０は、１つ以上の電位差計９７０Ａ〜Ｃの位置を、材料の種類、材料の量、分注容器の大きさ、製造日及び同類のものを含むがこれらに限定されない対応する分注容器属性データに関連付けるようにプログラムされる。そのため、分注容器９１０が図２７に示すように基部に取り付けられ、電位差計９７０Ａ〜Ｃの回転の位置がコントローラ１１２０に格納された参照プロフィールと一致すると、コントローラ１１２０は、参照プロフィールに関連付けられる分注容器属性データをユーザによる閲覧のために供給する。
【００５１】
次に、分注容器９１０の分注ノズル９２０がユーザの手によって下向きに押し下げられてポンプ９３０を作動させると、支持区域１０３２が図２７に示すようにその通常の静止位置から図２８に示すように作動位置に動き、作動スイッチ１１５０を作動させる。そのため、分注容器９１０が作動されてそこから材料を分注する毎に、支持プラットフォーム１０２０が動き、コントローラ１１５０に格納されたカウント値を更新する作動スイッチ１１５０を作動させる。作動カウント値はディスプレイ１１６０上に提示されてもよく、材料の残量、使用割合、及び分注容器９１０の使用に関連付けられる種々の他のデータを含む種々のデータを、ディスプレイ１１６０上での提示のために演算するために、コントローラ１１５０によって用いられてもよい。いったん分注ノズル９２０が解放されると、支持プラットフォーム１０２０はばね１０４０の動作によってその通常の静止位置に戻る。
【００５２】
それゆえ、本発明の一利点は、独自仕様の分注システムが、適合する基部のみとともに使用されるように構成された分注容器を利用するということである。本発明の別の利点は、独自仕様の分注システムが、分注容器が材料を分注した回数カウントする基部を提供するということである。本発明のまた別の利点は、独自仕様の分注システムが、その中に置かれたときに認可されていない分注容器を不安定とし、基部との使用を防ぐ基部を提供するということである。本発明のなお別の利点は、独自仕様の分注システムが、実質的に鉛直方向で作動されるように構成されるポンプを利用する認可されていない分注容器が、それらが取り付けられる基部によってシステムの中で無効とされるシステムを提供するということである。本発明の別の利点は、独自仕様の分注システムが、分注容器の内容に関連付けられる種々の情報が取得され表示されることのできる基部を提供するということである。
【００５３】
ゆえに、本発明の目的が、構造及び上記に提示された使用のためのその方法によって満たされていることがわかる。特許法に従い、最良の形態及び好適な実施形態のみが提示され詳細に説明されたが、本発明はそれらに又はそれらにより制限されないことが理解されよう。従って、本発明の真の範囲及び幅を認知するために、以下の特許請求の範囲に対する参照がなされるべきである。
【図１】
2014530747.tif 000003
【図２】
2014530747.tif 000004
【図３】
2014530747.tif 000005
【図４】
2014530747.tif 000006
【図５Ａ】
2014530747.tif 000007
【図５Ｂ】
2014530747.tif 000008
【図６】
2014530747.tif 000009
【図７】
2014530747.tif 000010
【図８】
2014530747.tif 000011
【図９】
2014530747.tif 000012
【図１０】
2014530747.tif 000013
【図１１】
2014530747.tif 000014
【図１２】
2014530747.tif 000015
【図１３】
2014530747.tif 000016
【図１４】
2014530747.tif 000017
【図１５】
2014530747.tif 000018
【図１６】
2014530747.tif 000019
【図１７】
2014530747.tif 000020
【図１８】
2014530747.tif 000021
【図１９】
2014530747.tif 000022
【図２０】
2014530747.tif 000023
【図２１】
2014530747.tif 000024
【図２２】
2014530747.tif 000025
【図２３】
2014530747.tif 000026
【図２４】
2014530747.tif 000027
【図２５】
2014530747.tif 000028
【図２６】
2014530747.tif 000029
【図２７】
2014530747.tif 000030
【図２８】
2014530747.tif 000031
【国際調査報告】
2014530747.tif 000032
2014530747.tif 000033
2014530747.tif 000034
2014530747.tif 000035